(57)【要約】 【課題】  光を照射する指示装置によって画面に照射された光の位置を明示することができる表示装置および表示方法を提供する。【解決手段】  受光箇所判定部１９は、取得した受光の強さが、所定の値より大きいと判定した画素の座標（Ｘ，Ｙ）の値を、Ｎ番目の受光データＬｐｏｓに追加する。指示ポインタ表示データ作成部２０は、Ｎ番目の受光箇所に含まれる画素のＸＹ座標の平均値を求め、求めたＸ座標の平均値を変数Ｘｂにセットし、求めたＹ座標の平均値を変数Ｙｂにセットする。そして、指示ポインタデータＰｏｉｎｔＩｎｆの座標データにコピーした基本座標のＸ座標に変数Ｘｂの値を加え、Ｙ座標に変数Ｙｂの値を加える。中央演算部１５は、指示ポインタデータが示す色、大きさおよび形状の指示ポインタを、座標データが示す位置に表示する。【選択図】      図１
2009266036.tif 000002
【特許請求の範囲】
【請求項１】
画像を表示画面上に表示する複数の画素と、前記表示画面には受光する光の強さを複数の位置ごとに検出する検出手段とを備える表示装置であって、
前記検出手段によって検出された光の強さが予め定める基準強度以上である範囲を決定する範囲決定手段と、
前記範囲決定手段によって決定された範囲ごとに各範囲の中心となる位置を特定する位置特定手段と、
前記位置特定手段によって特定された位置を示す画像を表示させる制御手段とを含むことを特徴とする表示装置。
【請求項２】
前記特定された位置を示す画像は、予め定められた表示形態であることを特徴とする請求項１に記載の表示装置。
【請求項３】
前記予め定める表示形態は、予め定める色であることを特徴とする請求項２に記載の表示装置。
【請求項４】
前記検出手段は、受光する光の色を検出可能であり、
前記予め定める表示形態は、前記検出手段が検出した色であることを特徴とする請求項２に記載の表示装置。
【請求項５】
記予め定める表示形態は、予め定める形状であることを特徴とする請求項２に記載の表示装置。
【請求項６】
画像を表示する複数の画素と、受光する光の強さを複数の位置ごとに検出する検出部とを備える表示装置に画像を表示する表示方法であって、
前記検出部によって検出された光の強さが予め定める基準強度以上である範囲を決定する範囲決定ステップと、
前記範囲決定ステップで決定された範囲ごとに各範囲の中心にある位置を特定する位置特定ステップと、
前記位置特定ステップで特定された位置を示す画像を表示する制御ステップとを含むことを特徴とする表示方法。
【発明の詳細な説明】
【技術分野】
【０００１】
本発明は、レーザポインタなどの指示装置によって画面に照射された光の位置を特定することができる表示装置および表示方法に関する。
【背景技術】
【０００２】
大型の画面を用いてプレゼンテーションを行う発表者は、レーザポインタなどの光を照射して、画面に表示される映像内の位置を指し示し、画面を見る人は、画面に照射されたレーザポインタなどの光の位置によって、発表者が指し示したい位置を認識する。
【０００３】
特許文献１に記載されているポインティングデバイスは、レーザポインタによって指示ポインタが指示されている画面をＣＣＤカメラで撮像し、ＣＣＤカメラによって撮像された画像の中の画面の辺を認識し、認識した画面の辺の位置から指示ポインタの座標位置を特定するものである。したがって、画面に対して斜めの位置から指示してもレーザポインタによって指示される位置を特定することができる。
【０００４】
特許文献２に記載されている指示情報入力装置は、プロジェクタによって画像が表示された投影スクリーンをビデオカメラによって撮影し、ビデオカメラによって撮影された映像信号と、表示している映像信号との差分を抽出することによって、レーザポインタによって投射されている光の位置を特定する。
【０００５】
特許文献３に記載されている視野角制御表示装置は、見る人と画面との角度に応じて異なる画面を表示装置に表示するものであり、画面を構成する各発光素子に対応して、その発光素子による画面を見ることのできる角度内からきた光のみを選択受光する受光素子を備える。視野角制御表示装置は、この受光素子によって、レーザポインタなどから照射される光を受光する。
【０００６】
【特許文献１】特開２００１−２３６１８１号公報
【特許文献２】特開平９−６２４４４号公報
【特許文献３】特開平６−２３０８９６号公報
【発明の開示】
【発明が解決しようとする課題】
【０００７】
しかしながら、液晶ディスプレイなど表示装置自体が発光する画面にレーザポインタなどで光を照射した場合、画面を見る人は、レーザポインタからの光が液晶ディスプレイに吸収されて、光が照射されている位置を判別し難い場合がある。特許文献３に記載されている視野角制御表示装置は、発光素子ごとに受光素子が設けられており、レーザポインタによって光が照射された位置の受光素子が光を受光するので、光が照射された位置を正確に把握することはできるが、画面を見る人に光が照射されている位置をわかりやすくすることはできない。
【０００８】
本発明の目的は、光を照射する指示装置によって画面に照射された光の位置を明示することができる表示装置および表示方法を提供することである。
【課題を解決するための手段】
【０００９】
本発明は、画像を表示画面上に表示する複数の画素と、前記表示画面には受光する光の強さを複数の位置ごとに検出する検出手段とを備える表示装置であって、
前記検出手段によって検出された光の強さが予め定める基準強度以上である範囲を決定する範囲決定手段と、
前記範囲決定手段によって決定された範囲ごとに各範囲の中心となる位置を特定する位置特定手段と、
前記位置特定手段によって特定された位置を示す画像を表示させる制御手段とを含むことを特徴とする表示装置である。
【００１０】
また本発明は、画像を表示する複数の画素と、受光する光の強さを複数の位置ごとに検出する検出部とを備える表示装置に画像を表示する表示方法であって、
前記検出部によって検出された光の強さが予め定める基準強度以上である範囲を決定する範囲決定ステップと、
前記範囲決定ステップで決定された範囲ごとに各範囲の中心にある位置を特定する位置特定ステップと、
前記位置特定ステップで特定された位置を示す画像を表示する制御ステップとを含むことを特徴とする表示方法である。
【発明の効果】
【００１１】
本発明によれば、画像を表示画面上に表示する複数の画素と、前記表示画面には受光する光の強さを複数の位置ごとに検出する検出手段とを備える表示装置に画像を表示するにあたって、範囲決定手段によって、前記検出手段によって検出された光の強さが予め定める基準強度以上である範囲が決定され、位置特定手段によって、前記範囲決定手段によって決定された範囲ごとに各範囲の中心となる位置が特定され、制御手段によって、前記位置特定手段によって特定された位置を示す画像が表示される。
【００１２】
したがって、懐中電灯などのように画面に照射した光が広がる指示装置を用いる場合にも、操作者が指示装置によって指示する画面上の位置を明示することができる。
【００１３】
また本発明によれば、画像を表示する複数の画素と、受光する光の強さを複数の位置ごとに検出する検出部とを備える表示装置に画像を表示するにあたって、範囲決定ステップでは、前記検出部によって検出された光の強さが予め定める基準強度以上である範囲を決定する。位置特定ステップでは、前記範囲決定ステップで決定された範囲ごとに各範囲の中心にある位置を特定する。そして、制御ステップでは、前記位置特定ステップで特定された位置を示す画像を表示する。
【００１４】
したがって、本発明に係る表示方法を提供すれば、懐中電灯などのように画面に照射した光が広がる指示装置を用いる場合にも、操作者が指示装置によって指示する画面上の位置を明示することができる。
【発明を実施するための最良の形態】
【００１５】
図１は、本発明の実施の一形態である表示装置１０を含む表示システム１の構成を示す図である。表示システム１は、表示装置１０および発光指示装置３０を含んで構成される。本発明に係る表示方法は、表示装置１０によって処理される。
【００１６】
表示装置１０は、Ｎ個の映像入力端子１１、表示用・表示処理用一時記憶部１２、光センサ内蔵表示用デバイス１３、表示処理部１４、中央演算部１５、内部記憶部１６、リモートコントロール（以下「リモコン」という）受光部１７、リモコン処理部１８、受光箇所判定部１９、指示ポインタ表示データ作成部２０および受光波形判定部２１を含んで構成される。
【００１７】
映像入力端子１１は、パーソナルコンピュータ（以下「パソコン」という）などからの映像信号が入力される端子であり、Ｎ個の入力端子が設けられている。Ｎは、自然数である。各映像入力端子１１から入力された映像信号は、表示用・表示処理用一時記憶部１２に送られる。表示用・表示処理用一時記憶部１２は、半導体メモリあるいはハードディスク装置などによって構成される書き込みおよび読み出し可能な記憶装置であり、映像入力端子１１から受け取る映像信号を表す画像情報、および中央演算部１５によって表示処理および表示用加工処理が行われる画像情報を記憶する。表示用・表示処理用一時記憶部１２に記憶される画像情報は、表示処理部１４および中央演算部１５から読み出し可能である。
【００１８】
光センサ内蔵表示用デバイス１３は、表示画像を構成する複数の画素、および受光する光の強さおよび色を検出する検出手段および検出部である光センサを画素ごとに内蔵する液晶ディスプレイである。さらに、光センサ内蔵表示用デバイス１３は、各画素を構成する赤、緑および青のサブピクセルごとに光センサが設けられ、受光した光の色も画素ごとに検出することができる。光センサ内蔵表示用デバイス１３は、表示処理部１４から受け取る画像情報を表示し、各光センサが画素ごとに検出する光の強さ（以下「受光の強さ」という）および色（以下「受光色」という）を中央演算部１５に送る。
【００１９】
表示処理部１４は、表示用・表示処理用一時記憶部１２から読み出した画像情報を、中央演算部１５から指示される形式、たとえば光センサ内蔵表示用デバイス１３が表示可能な形式に変換して光センサ内蔵表示用デバイス１３に送り表示させる。
【００２０】
範囲決定手段、位置特定手段および制御手段である中央演算部１５は、中央処理装置（以下「ＣＰＵ」という）および表示装置１０を制御するための制御プログラムを記憶するメモリを含んで構成され、ＣＰＵがメモリに記憶される制御プログラムを実行することによって、光センサ内蔵表示用デバイス１３、表示処理部１４およびリモコン処理部１８を制御する。中央演算部１５は、ＣＰＵおよびメモリの代わりに、プログラミングすることができるＬＳＩ(Large Scale Integration)であるＦＰＧＡ(Field Programmable Gate
Array)、特定の用途のために設計、製造される集積回路であるＡＳＩＣ(Application
Specific Integrated Circuit)、あるいはその他の演算機能を有する回路によって構成してもよい。
【００２１】
内部記憶部１６は、たとえば書き込みおよび読み出し可能な半導体メモリなどの記憶装置によって構成され、中央演算部１５が制御プログラムを実行するときに用いる制御情報１６１を記憶する。制御情報１６１は、たとえば受光した光の色を表す受光色、受光した光の強さを表す受光の強さ、受光した光の数を表す受光数、指示ポインタの形状を表すポインタ形状、指示ポインタの色を表すポインタ表示色、指示ポインタの大きさを表すポインタサイズ、指示ポインタ表示の中心位置を表すポインタ表示位置、および指示ポインタの表示位置の基準を表すポインタ表示基準などの情報を含む。
【００２２】
受光数は、光を受光している受光箇所の数であり、光が重なっていなければ、光を照射している発光指示装置３０の数に一致する数である。受光箇所は、発光指示装置３０によって光が照射されている少なくとも１つの画素からなる画素群である。シンボル画像である指示ポインタは、発光指示装置３０によって光が照射されている位置を明示するための画像であり、受光箇所の代表点の位置を示す。ポインタ表示基準は、受光箇所の中心位置を基準とするか、受光箇所の最も明るい位置を基準とするかを示す。すなわち、代表点を受光箇所の中心位置とするか、受光箇所の最も明るい位置とするかの基準である。
【００２３】
リモコン受光部１７は、表示装置１を操作するための情報を表示装置１に送信する図示しないリモコンからの光を受光し、受光した光を電気信号に変換して、リモコン処理部１８に送る。リモコン処理部１８は、リモコン受光部１７から受け取る電気信号をリモコンから指示された情報に変換して、中央演算部１５に送る。
【００２４】
受光箇所判定部１９、指示ポインタ表示データ作成部２０および受光波形判定部２１は、中央演算部１５が制御プログラムを実行することによって実現される機能である。受光箇所判定部１９は、光センサ内蔵表示用デバイス１３に照射されている光の箇所を判定する。具体的には、受光箇所判定部１９は、光センサ内蔵表示用デバイス１３の光センサから受け取る受光の強さが、予め定める基準強さ以上、たとえば０〜２５５の２５６段階で１２８以上の画素またはそれらの複数の画素が隣接している範囲を、発光指示装置３０から照射されている光を受光している受光箇所と判定する。
【００２５】
指示ポインタ表示データ作成部２０は、受光箇所判定部１９によって光を受光していると判定された受光箇所について、指示ポインタを表示する位置を決定するとともに、指示ポインタを表す指示ポインタデータを作成する。受光波形判定部２１は、発光指示装置３０から出射される光の出射パターンを判定する。具体的には、受光波形判定部２１は、光センサ内蔵表示用デバイス１３の光センサから受け取る受光の強さが、予め定める期間、たとえば２ミリ秒の期間予め定める基準強度以上であるとき、連続する出射パターンであると判定し、予め定める基準強度以上である状態と予め定める基準強度未満である状態とを予め定める期間に繰り返すとき、パルス状の出射パターンであると判定する。パルス状の出射パターンは、繰り返されるパルスの周波数、パルス幅、パルス間隔などを変化させて組み合わせることによって、複数の出射パターンとして用いることも可能である。
【００２６】
発光指示装置３０は、レーザポインタ、ＬＥＤ（Light Emitting Diode）あるいは懐中電灯など光を画面に照射して位置を指示する指示装置である。発光指示装置３０ａは、光を発光する発光部３１を含み、発光指示装置３０ｂは、発光部３１の他に、発光部３１をパルス状に発光させる間欠駆動部３２を含み、発光指示装置３０ｃは、発光部３１および間欠駆動部３２の他に、発光をパルス状に照射するか連続して照射するかを切り換えるボタン３３を含む。
【００２７】
図２は、発光指示装置３０の光が照射された画面４０の例を示す図である。図２に示す発光指示装置３０は、レーザポインタなど焦点の広がりが小さい指示装置であり、発光指示装置３０からのレーザ光線３９が画面４０のうち、人物画像が表示されている領域４１に照射されている。画面４０の右側に引き出した画面４１は、画素４２の１つ１つがわかるように拡大した画面であり、画面４１には、人物の表示画像４３およびレーザ光線３９が照射されているレーザポインタ照射箇所４４が示されている。
【００２８】
各画素４２は、赤色のサブピクセル４２１、緑色のサブピクセル４２２および青色のサブピクセル４２３によって構成され、さらに各画素４２には光センサ４６が設けられる。光センサ４６は、色を検出する３つの光センサ４６１〜４６３および光の強さを検出する図示しない光センサを含む。光センサ４６１は赤色を検出し、光センサ４６２は緑色を検出し、光センサ４６３は青色を検出する。
【００２９】
図３は、光が照射された位置に表示される指示ポインタの例を示す図である。図３（ａ）は、レーザ光線３９が光を照射して指し示している位置を赤色で表した指示ポインタ４５ａを表示する拡大画面４１ａを示す。図３（ｂ）は、レーザ光線３９が光を照射して指し示している位置を３×３の白色の画素で表した指示ポインタ４５ｂを表示する拡大画面４１ｂを示す。図３（ｃ）は、レーザ光線３９が光を照射して指し示している位置を５×５の緑色の画素で表した指示ポインタ４５ｃを表示する拡大画面４１ｃを示す。指示ポインタ４５ｃは、図３（ｂ）に示した指示ポインタ４５ｂよりも大きさを大きくした指示ポインタである。図３（ｄ）は、レーザ光線３９が光を照射して指し示している位置を赤色の矢印の形状で示す指示ポインタ４５ｄを表示する拡大画面４１ｄを示す。矢印の先端は、たとえば光が照射されている画素の中心の画素の位置を示す。
【００３０】
図４は、照射された光に広がりがある場合の指示ポインタの例を示す図である。図４（ａ）は、懐中電灯からの光が広がりのある領域４４ｅに照射されていることを示している。図４（ａ）では、懐中電灯によって照射されている光は、領域４４ｅの中心ほど光の強さが強い。指示ポインタ表示データ作成部２０は、領域４４ｅの中心の画素の位置、または領域４４ｅに含まれる画素のうち最も受光の強さが強い画素の位置を、指示ポインタを表示する位置と決定する。図４（ｂ）は、指示ポインタ表示データ作成部２０が決定した位置に赤色の指示ポインタ４５ｆを表示した拡大画面４１ｆを示し、図４（ｃ）は、指示ポインタ表示データ作成部２０が決定した位置に赤色の矢印の形状の指示ポインタ４５ｇを表示した拡大画面４１ｇを示す。
【００３１】
図５は、照射する光の色が異なる２種類の発光指示装置３０ａ，３０ｂの光が照射された画面４０ｈの例を示す図である。発光指示装置３０ａ，３０ｂは、いずれもレーザポインタによって構成され、発光指示装置３０ａは赤色のレーザ光線を照射し、発光指示装置３０ｂは黄色のレーザ光線を照射する。図５（ａ）は、発光指示装置３０ａからの赤色のレーザ光線および発光指示装置３０ｂからの黄色のレーザ光線が画面４０ｈに照射されていることを示している。拡大画面４１ｈには、それぞれのレーザ光線が照射されている画素４５ｈ１，４５ｈ２が示されている。図５（ｂ）は、発光指示装置３０ａからの赤色のレーザ光線が照射されている位置に、３×３画素からなる四角形の赤い指示ポインタ４５ｊ１が表示され、発光指示装置３０ｂからの黄色のレーザ光線が照射されている位置に、黄色の矢印の形状の指示ポインタ４５ｊ２が表示されていることを示している。
【００３２】
図６は、出射パターンが異なる２種類の発光指示装置３０ｃ，３０ｄの光が照射された画面４０ｋの例を示す図である。発光指示装置３０ｃ，３０ｄは、いずれもレーザポインタによって構成され、発光指示装置３０ｃはレーザ光線を連続する出射パターンで照射し、発光指示装置３０ｄはレーザ光線をパルス状の出射パターンで照射する。図６は、発光指示装置３０ｃからのレーザ光線および発光指示装置３０ｄからのレーザ光線が画面４０ｋに照射されていることを示しており、拡大画面４１ｋには、それぞれのレーザ光線が照射されている画素４５ｋ１，４５ｋ２が示されている。
【００３３】
図６に示した例では、受光波形判定部２１は、画素４５ｋ１の光センサから受け取る受光の強さが、予め定める期間予め定める基準強度以上であるので、連続する出射パターンであると判定し、画素４５ｋ２の光センサから受け取る受光の強さが、予め定める基準強度以上である状態と予め定める基準強度未満である状態とを予め定める期間に繰り返すので、パルス状の出射パターンであると判定する。
【００３４】
図７〜図１２のフローチャートで用いる変数には、受光数Ｌｃｏｕｎｔ、ポインタサイズＬｓｉｚｅ、ポインタ表示色Ｌｃｏｌｏｒ、ポインタ形状Ｌｐａｔｔｅｒｎ、ポインタ表示基準Ｌｂａｓｅ、受光色ＰｉｘｅｌＣｏｌｏｒ、受光の強さＰｉｘｅｌＶａｌｕｅ、受光箇所の座標データＬｐｏs、および指示ポインタデータＰｏｉｎｔＩｎｆの変数がある。
【００３５】
受光数Ｌｃｏｕｎｔは、光を受光している受光箇所の数であり、光が照射されている箇所が隣接する複数の画素から構成される場合は、その１つのまとまりを１箇所として数える。変数Ｌｃｏｕｎｔは、０からＬＭＡＸまでの整数であり、ＬＭＡＸは、受光色の数の最大数、たとえば「３」である。
【００３６】
ポインタサイズＬｓｉｚｅは、指示ポインタのサイズを表す値であり、値が「０」であると、大きいサイズを表し、値が「１」であると、中間のサイズを表し、値が「２」であると、小さいサイズを表す。ポインタ表示色Ｌｃｏｌｏｒは、指示ポインタの色を表す値であり、値が「０」であると、赤色を表し、値が「１」であると、緑色を表し、値が「２」であると、青色を表し、値が「３」であると、受光した色を表す。ポインタ形状Ｌｐａｔｔｅｒｎは、指示ポインタの形状を表す値であり、値が「０」であると、四角形を表し、値が「１」であると、丸を表し、値が「２」であると、矢印を表す。
【００３７】
ポインタサイズＬｓｉｚｅ、ポインタ表示色Ｌｃｏｌｏｒおよびポインタ形状Ｌｐａｔｔｅｒｎは、それぞれＫ個、たとえば３個、すなわち受光色ごとに設定可能であり、それぞれを区別するときは、Ｌｓｉｚｅ［Ｋ］、Ｌｃｏｌｏｒ［Ｋ］およびＬｐａｔｔｅｒｎ［Ｋ］と表す。以下、ポインタサイズＬｓｉｚｅ、ポインタ表示色Ｌｃｏｌｏｒおよびポインタ形状Ｌｐａｔｔｅｒｎのデータを基本座標データともいう。ポインタサイズＬｓｉｚｅ、ポインタ表示色Ｌｃｏｌｏｒおよびポインタ形状Ｌｐａｔｔｅｒｎは、予め定める表示形態である。
【００３８】
ポインタ表示基準Ｌｂａｓｅは、懐中電灯などによって照射された光のように、照射された光に広がりがある場合、つまり光が照射されている箇所が隣接する複数の画素から構成される場合に、指示ポインタを表示する位置を、光が照射されている箇所の中心の位置を基準（以下「中央基準」という）にするか、照射されている光の強さが最も強い画素の位置を基準（以下「明るさ基準」という）にするかを示す変数であり、値が「０」であると、中央基準にすることを表し、値が「１」であると、明るさ基準にすることを表す。
【００３９】
受光色ＰｉｘｅｌＣｏｌｏｒおよび受光の強さＰｉｘｅｌＶａｌｕｅは、受光した光についての受光色および受光の強さをそれぞれ画素ごとに表す画素データである。受光色ＰｉｘｅｌＣｏｌｏｒは、赤色のサブピクセル、緑色のサブピクセルおよび青色のサブピクセルに対応する３つの要素から構成され、それぞれ「０」〜「２５５」の２５６段階の階調で表わされる。各画素の画素データは、赤色のサブピクセルの階調、緑色のサブピクセルの階調、青色のサブピクセルの階調および受光の強さの４つの要素から構成される。４つの要素のうち、赤色のサブピクセルの階調、緑色のサブピクセルの階調および青色のサブピクセルの階調は、受光色ＰｉｘｅｌＣｏｌｏｒの画素データであり、受光の強さは、受光の強さＰｉｘｅｌＶａｌｕｅの画素データである。
【００４０】
光センサ内蔵表示用デバイス１３の画面は、横Ｍ個および縦Ｎ個の画素から構成され、画面に向かって左上の画素を原点とするＸＹ座標で各画素の位置を表す。たとえばＸＹ座標が（０，０）の画素の画素データは、（２５５，２５５，２５５，２５５）であり、ＸＹ座標が（０，１）の画素の画素データは、（２５５，２５０，２５５，２５２）であり、ＸＹ座標が（１００，２００）の画素の画素データは、（１２０，１００，２００，１８０）であり、ＸＹ座標が（１００，２０１）の画素の画素データは、（１２２，９８，２１０，１９０）であり、ＸＹ座標が（Ｍ−１，Ｎ−２）の画素の画素データは、（０，０，０，０）であり、ＸＹ座標が（Ｍ−１，Ｎ−１）の画素の画素データは、（０，０，０，０）である。各画素の受光色および受光の強さを表すときは、各画素のＸＹ座標を用いて、それぞれＰｉｘｅｌＣｏｌｏｒ［ｘ，ｙ］およびＰｉｘｅｌＶａｌｕｅ［ｘ，ｙ］と表す。
【００４１】
受光箇所の座標データ（以下「受光データ」ともいう）Ｌｐｏsは、受光箇所に含まれる各画素の座標を、受光箇所ごとに表す。指示ポインタデータＰｏｉｎｔＩｎｆは、指示ポインタを表示する座標、色、大きさおよび形状を、受光箇所ごとに表すデータである。ポインタサイズＬｓｉｚｅ、ポインタ表示色Ｌｃｏｌｏｒ、ポインタ形状Ｌｐａｔｔｅｒｎおよびポインタ表示基準Ｌｂａｓｅの変数の設定は、図１２に示す設定処理で詳述する。
【００４２】
図７は、中央演算部１５が行う第１の表示処理の一例を示すフローチャートである。第１の表示処理は、光を受光した画素に、受光した光の色つまり受光色と同じ色の指示ポインタを表示する処理である。中央演算部１５が表示用・表示処理用一時記憶部１２に記憶される画像情報を光センサ内蔵表示用デバイス（以下「パネル」ともいう）１３に表示するように表示処理部１４に指示した後、ステップＡ１に移る。
【００４３】
ステップＡ１では、パネル１３から各光センサが検出した画素ごとのデータ、具体的には受光色および受光の強さのデータを取得し、それぞれ画素ごとに受光色ＰｉｘｅｌＣｏｌｏｒおよび受光の強さＰｉｘｅｌＶａｌｕｅにセットする。ステップＡ２では、変数Ｘ，Ｙに「０」を代入して初期化する。変数Ｘ，Ｙの値は、自然数である。ステップＡ３では、変数Ｙの値がパネル１３の垂直解像度、すなわち画面の縦方向の画素数未満であるか否かを判定する。Ｙの値がパネル１３の垂直解像度未満であると、ステップＡ４に進み、Ｙの値がパネル１３の垂直解像度以上であると、第１の表示処理を終了する。
【００４４】
ステップＡ４では、変数Ｘに「０」を代入して初期化する。ステップＡ５では、変数Ｘの値がパネル１３の水平解像度、すなわち画面の横方向の画素数未満であるか否かを判定する。変数Ｘの値がパネル１３の水平解像度未満であると、ステップＡ６に進み、変数Ｘの値がパネル１３の水平解像度以上であると、ステップＡ１０に進む。ステップＡ６では、座標（Ｘ，Ｙ）の画素のＰｉｘｅｌＶａｌｕｅつまり受光の強さを取得する。ステップＡ７では、取得したＰｉｘｅｌＶａｌｕｅの値が、所定の値、たとえば上述した予め定める基準強さより大きいか否か、すなわち光が照射されているか否かを判定する。ＰｉｘｅｌＶａｌｕｅの値が所定の値より大きいと、ステップＡ８に進み、ＰｉｘｅｌＶａｌｕｅの値が所定の値より大きくないと、ステップＡ９に進む。
【００４５】
ステップＡ８では、座標（Ｘ，Ｙ）の画素を、座標（Ｘ，Ｙ）のＰｉｘｅｌＣｏｌｏｒつまり受光色で表示する。具体的には、中央演算部１５は、表示用・表示処理用一時記憶部１２に記憶される画像情報のうち、座標（Ｘ，Ｙ）の画素の色を、座標（Ｘ，Ｙ）のＰｉｘｅｌＣｏｌｏｒつまり受光色の色に置き換える。表示処理部１４は、座標（Ｘ，Ｙ）の画素の色が書き換えられた画像情報を表示用・表示処理用一時記憶部１２から読み出し、所定の形式に変換してパネル１３に表示させる。ステップＡ９では、変数Ｘに「１」を加算して、ステップＡ５に戻る。ステップＡ１０では、変数Ｙに「１」を加算して、ステップＡ３に戻る。
【００４６】
図８は、中央演算部１５が行う第２の表示処理の一例を示すフローチャートである。第２の表示処理は、光を受光した受光箇所の位置に、予め設定されている色および形状の指示ポインタを表示する処理である。中央演算部１５が表示用・表示処理用一時記憶部１２に記憶される画像情報をパネル１３に表示するように表示処理部１４に指示した後、ステップＢ１に移る。
【００４７】
ステップＢ１では、パネル１３から各光センサが検出した画素ごとのデータ、具体的には受光色および受光の強さのデータを取得し、それぞれ画素ごとに受光色ＰｉｘｅｌＣｏｌｏｒおよび受光の強さＰｉｘｅｌＶａｌｕｅにセットする。ステップＢ２では、受光箇所検索処理を行う。ステップＢ３では、指示ポインタデータ作成処理を行う。ステップＢ４では、指示ポインタ表示処理を行って、ステップＢ１に戻る。
【００４８】
図９は、第２の表示処理から呼び出される受光箇所検索処理の一例を示すフローチャートである。受光箇所検索処理は、受光箇所判定部１９によって実行され、受光箇所判定部１９は、図８に示した第２の表示処理から呼び出されると、ステップＣ１に移る。
【００４９】
ステップＣ１では、変数Ｘ，Ｙおよび受光数の変数Ｌｃｏｕｎｔに「０」を代入して初期化する。ステップＣ２では、変数Ｙの値がパネル１３の垂直解像度未満であるか否かを判定する。Ｙの値がパネル１３の垂直解像度未満であると、ステップＣ３に進み、Ｙの値がパネル１３の垂直解像度以上であると、受光箇所検索処理を終了する。ステップＣ３では、変数Ｘに「０」を代入して初期化する。ステップＣ４では、変数Ｘの値がパネル１３の水平解像度未満であるか否かを判定する。変数Ｘの値がパネル１３の水平解像度未満であると、ステップＣ５に進み、変数Ｘの値がパネル１３の水平解像度以上であると、ステップＣ１３に進む。
【００５０】
ステップＣ５では、座標（Ｘ，Ｙ）の画素のＰｉｘｅｌＶａｌｕｅつまり受光の強さを取得する。ステップＣ６では、取得したＰｉｘｅｌＶａｌｕｅの値が、所定の値より大きいか否か、すなわち光が照射されているか否かを判定する。ＰｉｘｅｌＶａｌｕｅの値が所定の値より大きいと、ステップＣ７に進み、ＰｉｘｅｌＶａｌｕｅの値が所定の値より大きくないと、ステップＣ１１に進む。ステップＣ７では、受光データカウンタである変数Ｎに「０」を代入して初期化する。
【００５１】
ステップＣ８では、変数Ｎの値がＬｃｏｕｎｔの値つまりすでに検出されている受光数未満であるか否かを判定する。変数Ｎの値がＬｃｏｕｎｔの値未満であると、ステップＣ９に進み、変数Ｎの値がＬｃｏｕｎｔの値以上であると、ステップＣ１４に進む。ステップＣ９では、Ｎ番目の受光データＬｐｏsに、すでに光が照射されているとして検出された隣接する画素の座標（以下「隣接座標」という）があるか否かを判定する。Ｎ番目の受光データＬｐｏsに隣接座標があると、ステップＣ１０に進み、Ｎ番目の受光データＬｐｏsに隣接座標がないと、ステップＣ１２に進む。
【００５２】
ステップＣ１０では、座標（Ｘ，Ｙ）の値を、Ｎ番目の受光データＬｐｏｓに追加する。ステップＣ１１では、変数Ｘに「１」を加算して、ステップＣ４に戻る。ステップＣ１２では、変数Ｎに「１」を加算して、ステップＣ８に戻る。ステップＣ１３では、変数Ｙに「１」を加算して、ステップＣ２に戻る。ステップＣ１４では、変数Ｌｃｏｕｎｔに「１」を加算、すなわち受光数をカウントアップして、ステップＣ１０に進む。
【００５３】
図１０は、第２の表示処理から呼び出される指示ポインタデータ作成処理の一例を示すフローチャートである。指示ポインタデータ作成処理は、指示ポインタ表示データ作成部２０によって実行され、指示ポインタ表示データ作成部２０は、図８に示した第２の表示処理から呼び出されると、ステップＤ１に移る。
【００５４】
ステップＤ１では、変数Ｎに「０」を代入して初期化する。ステップＤ２では、変数Ｎが受光数Ｌｃｏｕｎｔ未満であるか否かを判定する。変数Ｎが受光数Ｌｃｏｕｎｔ未満であると、ステップＤ３に進み、変数Ｎが受光数Ｌｃｏｕｎｔ以上であると、ステップＤ１１３に進む。ステップＤ３では、Ｎ番目の受光箇所の受光色を、受光箇所の座標データつまり受光データＬｐｏsと、各画素データの受光色ＰｉｘｅｌＣｏｌｏｒとに基づいて判定する。ステップＤ４では、ステップＤ３で判定した受光色に対応したポインタサイズＬｓｉｚｅおよびポインタ形状Ｌｐａｔｔｅｒｎの基本座標データを、指示ポインタデータＰｏｉｎｔＩｎｆの座標データにコピーする。基本座標データは、基準位置をＸＹ座標（０，０）とした場合の指示ポインタの各画素のＸＹ座標によって表される。
【００５５】
ステップＤ５では、ステップＤ３で判定した受光色に対応したポインタ表示色Ｌｃｏｌｏｒの値が「３」つまり受光した色であるか否かを判定する。ポインタ表示色Ｌｃｏｌｏｒの値が「３」であると、ステップＤ１１に進み、ポインタ表示色Ｌｃｏｌｏｒの値が「３」でないと、ステップＤ６に進む。ステップＤ６では、指示ポインタデータＰｏｉｎｔＩｎｆの色データに、ポインタ表示色Ｌｃｏｌｏｒの色を設定する。ポインタ表示色Ｌｃｏｌｏｒの色は、たとえば赤色、緑色および青色のうちのいずれか１つの値である。
【００５６】
ステップＤ７では、ポインタ表示基準Ｌｂａｓｅの値が「０」であるか否か、つまり表示基準が中央部分つまり中央基準か否かを判定する。ポインタ表示基準Ｌｂａｓｅの値が「０」であると、ステップＤ８に進み、ポインタ表示基準Ｌｂａｓｅの値が「０」でないと、ステップＤ１２に進む。ステップＤ８では、Ｎ番目の受光箇所に含まれる画素のＸＹ座標の平均値を求め、求めたＸ座標の平均値を変数Ｘｂにセットし、求めたＹ座標の平均値を変数Ｙｂにセットする。
【００５７】
ステップＤ９では、ステップＤ４で指示ポインタデータＰｏｉｎｔＩｎｆの座標データにコピーした基本座標のＸ座標に変数Ｘｂの値を加え、Ｙ座標に変数Ｙｂの値を加える。
【００５８】
ステップステップＤ１０では、変数Ｎに「１」を加算して、ステップＤ２に戻る。ステップＤ１１では、指示ポインタデータＰｏｉｎｔＩｎｆの座標に対応する色データを、各画素データの受光色ＰｉｘｅｌＣｏｌｏｒから取り出して、指示ポインタデータＰｏｉｎｔＩｎｆの色データに設定し、ステップＤ７に進む。
【００５９】
ステップＤ１２では、Ｎ番目の受光箇所に含まれる画素のうち、受光の強さＰｉｘｅｌＶａｌｕｅの値が最も大きい画素を検索し、検索した画素のデータのＸ座標を変数Ｘｂにセットし、Ｙ座標を変数Ｙｂにセットする。ステップＤ１３では、指示ポインタデータＰｏｉｎｔＩｎｆのうち、座標の値が負、またはパネル１３の解像度つまり画素数を超える値のデータを取り除く。ステップＤ１４では、指示ポインタデータＰｏｉｎｔＩｎｆを座標順にソートつまり並べ替えて、指示ポインタデータ作成処理を終了する。
【００６０】
図１１は、第２の表示処理から呼び出される指示ポインタ表示処理の一例を示すフローチャートである。中央演算部１５は、図８に示した第２の表示処理のステップＢ４を実行すると、ステップＥ１に移る。
【００６１】
ステップＥ１では、変数Ｘ，Ｙ，Ｚに「０」を代入して初期化する。ステップＥ２では、変数Ｙの値がパネル１３の垂直解像度未満であるか否かを判定する。Ｙの値がパネル１３の垂直解像度未満であると、ステップＥ３に進み、Ｙの値がパネル１３の垂直解像度以上であると、指示ポインタ表示処理を終了する。ステップＥ３では、変数Ｘに「０」を代入して初期化する。ステップＥ４では、変数Ｘの値がパネル１３の水平解像度未満であるか否かを判定する。変数Ｘの値がパネル１３の水平解像度未満であると、ステップＥ５に進み、変数Ｘの値がパネル１３の水平解像度以上であると、ステップＥ９に進む。
【００６２】
ステップＥ５では、座標（Ｘ，Ｙ）とＺ番目のＰｏｉｎｔＩｎｆのデータの座標とが同じであるか否かを判定する。座標（Ｘ，Ｙ）とＺ番目のＰｏｉｎｔＩｎｆのデータの座標とが同じであると、ステップＥ６に進み、座標（Ｘ，Ｙ）とＺ番目のＰｏｉｎｔＩｎｆのデータの座標とが同じでないと、ステップＥ８に進む。
【００６３】
ステップＥ６では、座標（Ｘ，Ｙ）の画素を、Ｚ番目のＰｏｉｎｔＩｎｆのデータの色で表示する。具体的には、中央演算部１５は、表示用・表示処理用一時記憶部１２に記憶される画像情報のうち、座標（Ｘ，Ｙ）の画素の色を、Ｚ番目のＰｏｉｎｔＩｎｆのデータの色に置き換える。表示処理部１４は、座標（Ｘ，Ｙ）の画素の色が書き換えられた画像情報を表示用・表示処理用一時記憶部１２から読み出し、所定の形式に変換してパネル１３に表示させる。ステップＥ８では、変数Ｘに「１」を加算して、ステップＥ４に戻る。ステップＥ９では、変数Ｙに「１」を加算して、ステップＥ２に戻る。
【００６４】
図１２は、中央演算部１５が行う第３の表示処理の一例を示すフローチャートである。第３の表示処理は、複数の出射パターン、たとえば連続する出射パターンおよびパルス状の出射パターンの発光指示装置３０が用いられる場合に、発光指示装置ごとに異なる色および形状の指示ポインタを表示する処理である。中央演算部１５が表示用・表示処理用一時記憶部１２に記憶される画像情報をパネル１３に表示するように表示処理部１４に指示した後、ステップＦ１に移る。ステップＦ１〜Ｆ４は、それぞれ図８に示したステップＢ１〜Ｂ４に対応し、重複を避けるために説明を省略する。
【００６５】
図１３は、第３の表示処理から呼び出される受光箇所検索処理の一例を示すフローチャートである。図１４は、第３の表示処理から呼び出される指示ポインタデータ作成処理の一例を示すフローチャートである。図１５は、第３の表示処理から呼び出される指示ポインタ表示処理の一例を示すフローチャートである。図１３に示す受光箇所検索処理は、図９に示した受光箇所検索処理と同じであり、図１５に示す指示ポインタ表示処理は、図１１に示した指示ポインタ表示処理と同じであり、重複を避けるために説明は省略する。
【００６６】
図１４に示す指示ポインタデータ作成処理は、指示ポインタ表示データ作成部２０によって実行され、指示ポインタ表示データ作成部２０は、図１２に示した第３の表示処理から呼び出されると、ステップＨ１に移る。ステップＨ１，Ｈ２は、それぞれ図１０に示したステップＤ１，Ｄ２と同じであり、ステップＨ６〜Ｈ９は、それぞれ図１０に示したステップＤ７〜Ｄ１０と同じであり、ステップＨ１２〜Ｈ１４は、それぞれ図１０に示したステップＤ１２〜Ｄ１４と同じであり、重複を避けるために説明は省略する。
【００６７】
ステップＨ３では、受光波形判定部２１の判定結果に基づいて、出射パターンがパルス状であるか否かを判定する。出射パターンがパルス状であると、ステップＨ４に進み、出射パターンがパルス状でないと、つまり連続状の出射パターンであると、ステップＨ１０に進む。ステップＨ４では、形状が四角形、大きさが「中間」の基準座標データを、指示ポインタデータＰｏｉｎｔＩｎｆの座標データにコピーする。ステップＨ５では、指示ポインタデータＰｏｉｎｔＩｎｆの色データに、青色を設定する。
【００６８】
ステップＨ１０では、形状が丸、大きさが「大きい」の基準座標データを、指示ポインタデータＰｏｉｎｔＩｎｆの座標データにコピーする。ステップＨ１１では、指示ポインタデータＰｏｉｎｔＩｎｆの色データに、赤色を設定し、ステップＨ６に進む。図１３に示したステップＧ１〜Ｇ１４および図１４に示したステップＨ７，Ｈ８は、範囲決定ステップおよび位置特定ステップである。図１４に示したステップＨ１〜Ｈ６，Ｈ９〜Ｈ１１，Ｈ１３，Ｈ１４および図１５に示したステップＪ１〜Ｊ９は、制御ステップである。
【００６９】
図１６は、中央演算部１５が行う第４の表示処理の一例を示すフローチャートである。第４の表示処理は、複数の出射パターン、たとえば連続する出射パターンおよびパルス状の出射パターンの発光指示装置３０が用いられる場合に、発光指示装置ごとに異なる色および形状の指示ポインタを表示するとともに、いずれか１つの発光指示装置については、画面制御に係る制御を行う処理である。画面制御に係る制御は、たとえば画面のページをめくる制御であり、具体的には、画面のページをめくるコマンドを、映像信号を表示装置１に入力しているパソコンなどに送信することによって行う。中央演算部１５が表示用・表示処理用一時記憶部１２に記憶される画像情報をパネル１３に表示するように表示処理部１４に指示した後、ステップＫ１に移る。ステップＫ１〜Ｋ４は、それぞれ図８に示したステップＢ１〜Ｂ４に対応し、重複を避けるために説明を省略する。
【００７０】
図１７は、第４の表示処理から呼び出される受光箇所検索処理の一例を示すフローチャートである。図１８は、第４の表示処理から呼び出される指示ポインタデータ作成処理の一例を示すフローチャートである。図１９は、第４の表示処理から呼び出される指示ポインタ表示処理の一例を示すフローチャートである。図１７に示す受光箇所検索処理は、図９に示した受光箇所検索処と同じであり、図１９に示す指示ポインタ表示処理は、図１１に示した指示ポインタ表示処理と同じであり、重複を避けるために説明は省略する。
【００７１】
図１８に示す指示ポインタデータ作成処理は、指示ポインタ表示データ作成部２０によって実行され、指示ポインタ表示データ作成部２０は、図１６に示した第４の表示処理から呼び出されると、ステップＭ１に移る。ステップＭ１〜Ｍ５は、それぞれ図１４に示したステップＨ１〜Ｈ５と同じであり、ステップＭ９〜Ｍ１２は、それぞれ図１４に示したステップＨ８〜Ｈ１１と同じであり、ステップＭ１４，Ｍ１５は、それぞれ図１４に示したステップＨ１３，Ｈ１４と同じであり、重複を避けるために説明は省略する。
【００７２】
ステップＭ６では、Ｎ番目の受光箇所に含まれる画素のＸＹ座標の平均値を求め、求めたＸ座標の平均値を変数Ｘｂにセットし、求めたＹ座標の平均値を変数Ｙｂにセットする。ステップＭ７では、平均値のＸＹ座標（Ｘｂ，Ｙｂ）から、入力信号の解像度に換算した平均値のＸＹ座標（Ｘｃ，Ｙｃ）を算出する。具体的には、座標Ｘｃの値は、式（１）によって算出し、座標Ｙｃの値は、式（２）によって算出する。
Ｘｃ＝Ｘｂ×（入力信号水平解像度／パネル水平解像度）              …（１）
Ｙｃ＝Ｙｂ×（入力信号垂直解像度／パネル垂直解像度）              …（２）
【００７３】
ステップＭ８では、画面のページをめくるコマンドを、ＸＹ座標（Ｘｃ，Ｙｃ）とともに、映像入力端子１１に映像を入力するパソコンなどに送信する。ステップＭ１３では、Ｎ番目の受光箇所に含まれる画素のＸＹ座標の平均値を求め、求めたＸ座標の平均値を変数Ｘｂにセットし、求めたＹ座標の平均値を変数Ｙｂにセットし、ステップＭ９に進む。
【００７４】
図２０は、中央演算部１５が行う設定処理の一例を示すフローチャートである。利用者は、パソコンなどからの映像信号をパネル１３に表示させる前に、パネル１３に表示される図示しない設定画面に応答して、ポインタサイズＬｓｉｚｅ、ポインタ表示色Ｌｃｏｌｏｒ、ポインタ形状Ｌｐａｔｔｅｒｎおよびポインタ表示基準Ｌｂａｓｅの変数を、受光色ごとに予め設定することができる。
【００７５】
中央演算部１５は、ポインタサイズＬｓｉｚｅ、ポインタ表示色Ｌｃｏｌｏｒ、ポインタ形状Ｌｐａｔｔｅｒｎおよびポインタ表示基準Ｌｂａｓｅの変数を設定するための設定画面の画像情報を生成して、表示用・表示処理用一時記憶部１２に記憶させ、表示用・表示処理用一時記憶部１２に記憶された画像情報を表示処理部１４によってパネル１３に表示させる。設定画面は、たとえばそれぞれの変数に設定する内容をリモコンによって選択することができる画面である。中央演算部１５は、設定画面をパネル１３に表示させた後、ステップＰ１に移る。
【００７６】
ステップＰ１では、リモコンによって選択されたポインタ表示基準が「中央基準」であるのか「明るさ基準」であるのかを判定する。選択されたポインタ表示基準が「中央基準」であると、ステップＰ２に進み、選択されたポインタ表示基準が「明るさ基準」であると、ステップＰ１４に進む。ステップＰ２では、変数Ｄに「０」を代入する。ステップＰ３では、表示基準Ｌｂａｓｅに変数Ｄの値を代入する。ステップＰ４では、受光色を選択するための変数Ｋに「０」つまり赤色を示す値を代入する。
【００７７】
ステップＰ５では、変数Ｋの値が設定可能な受光色の数、たとえば赤色、青色および黄色の３色を表す値「３」未満であるか否かを判定する。変数Ｋの値が「３」未満であると、ステップＰ６に進み、変数Ｋの値が「３」以上であると、設定処理を終了する。変数Ｋは、赤色が「０」、青色が「１」および黄色が「２」である。設定を行っている受光色を設定画面に表示する。ステップＰ６では、まず、設定を行っている受光色、つまり変数Ｋの値によって決まる色が何かを設定画面に表示する。次に、リモコンによって選択されたポインタ形状が「四角形」であるのか「丸」であるのか「矢印」であるのかを判定する。選択されたポインタ形状が「四角形」であると、ステップＰ１５に進み、選択されたポインタ形状が「丸」であると、ステップＰ７に進み、選択されたポインタ形状が「矢印」であると、ステップＰ１６に進む。ステップＰ７では、変数Ａに「１」を代入する。
【００７８】
ステップＰ８では、リモコンによって選択されたポインタの大きさが「大」であるのか「中」であるのか「小」であるのかを判定する。選択されたポインタの大きさが「大」であると、ステップＰ１７に進み、選択されたポインタの大きさが「中」であると、ステップＰ９に進み、選択されたポインタの大きさが「小」であると、ステップＰ１８に進む。ステップＰ９では、変数Ｂに「１」を代入する。
【００７９】
ステップＰ１０では、リモコンによって選択されたポインタ色が「赤色」であるのか「青色」であるのか「緑色」であるのか「受光色」であるのかを判定する。選択されたポインタ色が「赤色」であると、ステップＰ１９に進み、選択されたポインタ色が「緑色」であると、ステップＰ１１に進み、選択されたポインタ色が「青色」であると、ステップＰ２０に進み、選択されたポインタ色が「受光色」であると、ステップＰ２１に進む。ステップＰ１１では、変数Ｃに「１」を代入する。
【００８０】
ステップＰ１２では、設定した内容を記憶する。具体的には、変数Ｂの値をポインタの大きさＬｓｉｚｅ［Ｋ］に代入し、変数Ｃの値をポインタ色Ｌｃｏｌｏｒ［Ｋ］に代入し、変数Ａの値をポインタ形状Ｌｐａｔｔｅｒｎ［Ｋ］に代入する。ステップＰ１３では、変数Ｋに「１」を加算して、ステップＰ５に戻る。ステップＰ１４では、変数Ｄに「１」を代入して、ステップＰ３に進む。ステップＰ１５では、変数Ａに「０」を代入して、ステップＰ８に進む。ステップＰ１６では、変数Ａに「２」を代入して、ステップＰ８に進む。
【００８１】
ステップＰ１７では、変数Ｂに「０」を代入して、ステップＰ１０に進む。ステップＰ１８では、変数Ｂに「２」を代入して、ステップＰ１０に進む。ステップＰ１９では、変数Ｃに「０」を代入して、ステップＰ１２に進む。ステップＰ２０では、変数Ｃに「２」を代入して、ステップＰ１２に進む。ステップＰ２１では、変数Ｃに「３」を代入して、ステップＰ１２に進む。
【００８２】
このように、画像を表示画面上に表示する複数の画素と、前記表示画面には受光する光の強さを複数の位置ごとに検出する光センサとを備える表示装置１０に画像を表示するにあたって、中央演算部１５によって、光センサによって検出された光の強さが予め定める基準強度以上である範囲である受光箇所が決定され、中央演算部１５によって、中央演算部１５によって決定された範囲ごとに各範囲の中心となる位置が特定され、中央演算部１５によって、中央演算部１５によって特定された位置を示す画像、たとえば指示ポインタが表示される。
【００８３】
したがって、懐中電灯などのように画面に照射した光が広がる指示装置を用いる場合にも、操作者が指示装置によって指示する画面上の位置を明示することができる。
【００８４】
さらに、前記特定された位置を示す画像は、予め定められた表示形態であるので、操作者が指示装置によって指示する画面上の位置を特定の表示形態によって明示することができる。
【００８５】
さらに、前記予め定める表示形態は、予め定める色、たとえば赤色、緑色または青色であるので、画面を見る人がわかり易い色を用いることによって、指示装置によって指示された画面上の位置をより明瞭にすることができる。
【００８６】
さらに、光センサによって、受光する光の色が検出され、前記予め定める表示形態は、光センサが検出した色であるので、指示装置によって照射している色でより明瞭に位置を明示することができる。
【００８７】
さらに、記予め定める表示形態は、予め定める形状、たとえば四角形、丸または矢印の形状であるので、画面を見る人がわかり易い形状を用いることによって、指示装置によって指示された画面上の位置をより明確に示すことができる。
【００８８】
さらに、画像を表示する複数の画素と、受光する光の強さを複数の位置ごとに検出する光センサとを備える表示装置１０に画像を表示するにあたって、図１３に示したステップＧ１〜Ｇ１４および図１４に示したステップＨ７、Ｈ８では、光センサによって検出された光の強さが予め定める基準強度以上である範囲である受光箇所を決定する。図１３に示したステップＧ１〜Ｇ１４および図１４に示したステップＨ７，Ｈ８では、図１３に示したステップＧ１〜Ｇ１４および図１４に示したステップＨ７，Ｈ８で決定された範囲ごとに各範囲の中心にある位置を特定する。そして、図１４に示したステップＨ１〜Ｈ６，Ｈ９〜Ｈ１１，Ｈ１３，Ｈ１４および図１５に示したステップＪ１〜Ｊ９では、図１３に示したステップＧ１〜Ｇ１４および図１４に示したステップＨ７，Ｈ８で特定された位置を示す画像、たとえば指示ポインタを表示する。
【００８９】
したがって、本発明に係る表示方法を提供すれば、懐中電灯などのように画面に照射した光が広がる指示装置を用いる場合にも、操作者が指示装置によって指示する画面上の位置を明示することができる。
【図面の簡単な説明】
【００９０】
【図１】本発明の実施の一形態である表示装置１０を含む表示システム１の構成を示す図である。
【図２】発光指示装置３０の光が照射された画面４０の例を示す図である。
【図３】光が照射された位置に表示される指示ポインタの例を示す図である。
【図４】照射された光に広がりがある場合の指示ポインタの例を示す図である。
【図５】照射する光の色が異なる２種類の発光指示装置３０ａ，３０ｂの光が照射された画面４０ｈの例を示す図である。
【図６】出射パターンが異なる２種類の発光指示装置３０ｃ，３０ｄの光が照射された画面４０ｋの例を示す図である。
【図７】中央演算部１５が行う第１の表示処理の一例を示すフローチャートである。
【図８】中央演算部１５が行う第２の表示処理の一例を示すフローチャートである。
【図９】第２の表示処理から呼び出される受光箇所検索処理の一例を示すフローチャートである。
【図１０】第２の表示処理から呼び出される指示ポインタデータ作成処理の一例を示すフローチャートである。
【図１１】第２の表示処理から呼び出される指示ポインタ表示処理の一例を示すフローチャートである。
【図１２】中央演算部１５が行う第３の表示処理の一例を示すフローチャートである。
【図１３】第３の表示処理から呼び出される受光箇所検索処理の一例を示すフローチャートである。
【図１４】第３の表示処理から呼び出される指示ポインタデータ作成処理の一例を示すフローチャートである。
【図１５】第３の表示処理から呼び出される指示ポインタ表示処理の一例を示すフローチャートである。
【図１６】中央演算部１５が行う第４の表示処理の一例を示すフローチャートである。
【図１７】第４の表示処理から呼び出される受光箇所検索処理の一例を示すフローチャートである。
【図１８】第４の表示処理から呼び出される指示ポインタデータ作成処理の一例を示すフローチャートである。
【図１９】第４の表示処理から呼び出される指示ポインタ表示処理の一例を示すフローチャートである。
【図２０】中央演算部１５が行う設定処理の一例を示すフローチャートである。
【符号の説明】
【００９１】
１  表示システム
１０  表示装置
１１  映像入力端子
１２  表示用・表示処理用一時記憶部
１３  光センサ内蔵表示用デバイス
１４  表示処理部
１５  中央演算部
１６  内部記憶部
１７  リモコン受光部
１８  リモコン処理部
１９  受光箇所判定部
２０  指示ポインタ表示データ作成部
２１  受光波形判定部
３０  発光指示装置
３１  発光部
３２  間欠駆動部
３３  ボタン
４０  画面
４１  拡大画面
４２  画素
４３  表示画像
４４  レーザポインタ照射箇所
４５  指示ポインタ
【図１】
2009266036.tif 000003
【図２】
2009266036.tif 000004
【図３】
2009266036.tif 000005
【図４】
2009266036.tif 000006
【図５】
2009266036.tif 000007
【図６】
2009266036.tif 000008
【図７】
2009266036.tif 000009
【図８】
2009266036.tif 000010
【図９】
2009266036.tif 000011
【図１０】
2009266036.tif 000012
【図１１】
2009266036.tif 000013
【図１２】
2009266036.tif 000014
【図１３】
2009266036.tif 000015
【図１４】
2009266036.tif 000016
【図１５】
2009266036.tif 000017
【図１６】
2009266036.tif 000018
【図１７】
2009266036.tif 000019
【図１８】
2009266036.tif 000020
【図１９】
2009266036.tif 000021
【図２０】
2009266036.tif 000022